【手続補正書】
【提出日】平成22年8月4日(2010.8.4)
【手続補正１】
【補正対象書類名】特許請求の範囲
【補正対象項目名】全文
【補正方法】変更
【補正の内容】
【特許請求の範囲】
【請求項１】
圧電振動子と、第１のＭＯＳ容量素子と第２のＭＯＳ容量素子と第３のＭＯＳ容量素子を有する周波数温度補償回路と、を備えた温度補償圧電発振器であって、
前記第１のＭＯＳ容量素子の一方の端子及び前記第２のＭＯＳ容量素子の一方の端子に基準電圧を供給した構成と、
前記第１のＭＯＳ容量素子の他方の端子に、温度変化に対して電圧が変化する特性を有する第１の制御電圧を供給した構成と、
前記第２のＭＯＳ容量素子の他方の端子に、温度変化に対して電圧が変化する特性を有する第２の制御電圧を供給した構成と、
前記第３のＭＯＳ容量素子の一方の端子に前記第１の制御電圧を供給し、前記第３のＭＯＳ容量素子の他方の端子に前記第２の制御電圧を供給した構成と、を備えたことを特徴とする温度補償圧電発振器。
【請求項２】
前記周波数温度補償回路が、前記第１のＭＯＳ容量素子に前記第３のＭＯＳ容量素子を直列接続した構成と、該直列接続した構成に前記第２のＭＯＳ容量素子を並列接続した構成と、を備えたことを特徴とする請求項１記載の温度補償圧電発振器。
【請求項３】
前記周波数温度補償回路が、前記第１のＭＯＳ容量素子に第１の容量素子を直列接続した構成と、該直列接続した構成に前記第２のＭＯＳ容量素子を並列接続した構成と、該並列接続した構成に前記第３のＭＯＳ容量素子を直列接続した構成と、を備えたことを特徴とする請求項１記載の温度補償圧電発振器。
【請求項４】
前記周波数温度補償回路が、前記第１のＭＯＳ容量素子に第１の容量素子を直列接続した第１の構成と、前記第３のＭＯＳ容量素子に第２の容量素子を直列接続した第２の構成と、前記第１の構成と前記第２の構成と前記第２のＭＯＳ容量素子を並列接続した構成と、を備えたことを特徴とする請求項１記載の温度補償圧電発振器。
【請求項５】
前記第２の構成が、前記第３のＭＯＳ容量素子と前記第２の容量素子と第３の容量素子を直列接続した構成であることを特徴とする請求項４記載の温度補償圧電発振器。
【請求項６】
前記第３のＭＯＳ容量素子の一方の端子に第１の増幅器を介して前記第１の制御電圧を供給した構成と、前記第３のＭＯＳ容量素子の他方の端子に第２の増幅器を介して前記第２の制御電圧を供給した構成と、を備えたことを特徴とする請求項１、請求項２、請求項３、請求項４、または請求項５の何れかに記載の温度補償圧電発振器。
【請求項７】
前記第３のＭＯＳ容量素子の一方の端子に、第１の基準電圧または前記第１の制御電圧のいずれか一方を選択して供給した構成と、
前記第３のＭＯＳ容量素子の他方の端子に、第２の基準電圧または前記第２の制御電圧のいずれか一方を選択して供給した構成と、を備えたことを特徴とする請求項１に記載の温度補償圧電発振器。
【請求項８】
前記圧電振動子が水晶振動子であり、該水晶振動子の周波数温度特性が常温近傍で平坦な特性、変曲点を挟んで極大値及び極小値を有する特性、あるいは温度増加に対して右肩上がりの特性の何れにも対応することを特徴とする請求項７に記載の温度補償圧電発振器。
【手続補正２】
【補正対象書類名】明細書
【補正対象項目名】０００６
【補正方法】変更
【補正の内容】
【０００６】
上記目的を達成するため、本発明は、圧電振動子と、第１のＭＯＳ容量素子と第２のＭＯＳ容量素子と第３のＭＯＳ容量素子を有する周波数温度補償回路と、を備えた温度補償圧電発振器であって、前記第１のＭＯＳ容量素子の一方の端子及び前記第２のＭＯＳ容量素子の一方の端子に基準電圧を供給した構成と、前記第１のＭＯＳ容量素子の他方の端子に、温度変化に対して電圧が変化する特性を有する第１の制御電圧を供給した構成と、前記第２のＭＯＳ容量素子の他方の端子に、温度変化に対して電圧が変化する特性を有する第２の制御電圧を供給した構成と、前記第３のＭＯＳ容量素子の一方の端子に前記第１の制御電圧を供給し、前記第３のＭＯＳ容量素子の他方の端子に前記第２の制御電圧を供給した構成と、を備えたことを特徴とする。
このように温度補償圧電発振器を構成すると、周波数温度特性が極大値、極小値を有する三次曲線の圧電振動子を補償することが可能となり、且つ低温域、常温域、高温域を、温度に対して直線的に変化する２つの電圧を利用してそれぞれ別々に温度補償するので、広温度範囲に亘り、精度よく補償することができるという効果がある。
【手続補正３】
【補正対象書類名】明細書
【補正対象項目名】０００７
【補正方法】変更
【補正の内容】
【０００７】
また本発明は、前記周波数温度補償回路が、前記第１のＭＯＳ容量素子に前記第３のＭＯＳ容量素子を直列接続した構成と、該直列接続した構成に前記第２のＭＯＳ容量素子を並列接続した構成と、を備えたことを特徴とする。
このように温度補償圧電発振器を構成すると、周波数温度特性が三次曲線を呈する圧電振動子を適切に補償することができ、且つ低温域、常温域、高温域をそれぞれ別々に温度補償するので広温度範囲に亘り、精度よく補償することができるという効果がある。
【手続補正４】
【補正対象書類名】明細書
【補正対象項目名】０００８
【補正方法】変更
【補正の内容】
【０００８】
また本発明は、前記周波数温度補償回路が、前記第１のＭＯＳ容量素子に第１の容量素子を直列接続した構成と、該直列接続した構成に前記第２のＭＯＳ容量素子を並列接続した構成と、該並列接続した構成に前記第３のＭＯＳ容量素子を直列接続した構成と、を備えたことを特徴とする。
このように温度補償圧電発振器を構成すると、周波数温度特性が三次曲線を呈する圧電振動子を適切に補償することができ、且つ低温域、常温域、高温域をそれぞれ別々に温度補償するので広温度範囲に亘り、精度よく補償することができるという効果がある。
【手続補正５】
【補正対象書類名】明細書
【補正対象項目名】０００９
【補正方法】変更
【補正の内容】
【０００９】
また本発明は、前記周波数温度補償回路が、前記第１のＭＯＳ容量素子に第１の容量素子を直列接続した第１の構成と、前記第３のＭＯＳ容量素子に第２の容量素子を直列接続した第２の構成と、前記第１の構成と前記第２の構成と前記第２のＭＯＳ容量素子を並列接続した構成と、を備えたことを特徴とする。
このように温度補償圧電発振器を構成すると、周波数温度特性が三次曲線を呈する圧電振動子を適切に補償することができ、且つ低温域、常温域、高温域をそれぞれ別々に温度補償するので広温度範囲に亘り、精度よく補償することができるという効果がある。
【手続補正６】
【補正対象書類名】明細書
【補正対象項目名】００１０
【補正方法】変更
【補正の内容】
【００１０】
また本発明は、前記第２の構成が、前記第３のＭＯＳ容量素子と前記第２の容量素子と第３の容量素子を直列接続した構成であることを特徴とする。
このように温度補償圧電発振器を構成すると、周波数温度特性が三次曲線を呈する圧電振動子を適切に補償することができ、且つ低温域、常温域、高温域をそれぞれ別々に温度補償するので広温度範囲に亘り、精度よく補償することができるという効果がある。
【手続補正７】
【補正対象書類名】明細書
【補正対象項目名】００１１
【補正方法】変更
【補正の内容】
【００１１】
また本発明は、前記第３のＭＯＳ容量素子の一方の端子に第１の増幅器を介して前記第１の制御電圧を供給した構成と、前記第３のＭＯＳ容量素子の他方の端子に第２の増幅器を介して前記第２の制御電圧を供給した構成と、を備えたことを特徴とする。
このように温度補償圧電発振器を構成すると、第３のＭＯＳ容量素子のゲート及びバックゲートに印加する電圧を、第１の増幅器及び第２の増幅器により適宜設定できるので、周波数温度特性が三次曲線を呈する圧電振動子を、特に常温域において適切に補償することができ、且つ低温域、常温域、高温域をそれぞれ別々に温度補償するので広温度範囲に亘り、精度よく補償することができるという効果がある。
【手続補正８】
【補正対象書類名】明細書
【補正対象項目名】００１２
【補正方法】変更
【補正の内容】
【００１２】
また本発明は、前記第３のＭＯＳ容量素子の一方の端子に、第１の基準電圧または前記第１の制御電圧のいずれか一方を選択して供給する構成と、前記第３のＭＯＳ容量素子の他方の端子に、第２の基準電圧または前記第２の制御電圧のいずれか一方を選択して供給する構成と、を備えたことを特徴とする。
このように温度補償圧電発振器を構成すると、第３のＭＯＳ容量素子のゲート及びバックゲートに印加する電圧を選択してそれぞれ、第１の制御電圧及び第２の制御電圧とすることができるので、周波数温度特性が三次曲線を呈する圧電振動子を適切に補償することができ、且つ低温域、常温域、高温域をそれぞれ別々に補償するので広温度範囲に亘り、精度よく補償することができるという効果がある。また、第３のＭＯＳ容量素子のゲート及びバックゲートに印加する電圧を選択して、それぞれ第１の基準電圧及び第２の基準電圧に設定することができるので、第３のＭＯＳ容量素子は固定容量となり、常温近傍が平坦な圧電振動子を補償することができるという効果がある。
【手続補正９】
【補正対象書類名】明細書
【補正対象項目名】００１３
【補正方法】削除
【補正の内容】